(57)【要約】  スライドボックス型パッケージは、略直方体形状を有し、収容する被収容物を外部に取り出すための取り出し口が上部開口端に形成された内箱と、側方に設けられる挿入端から内箱を挿入可能であり、当該内箱と相対スライド可能な外カバーと、外カバーと内箱とにおける所定範囲を超える相対スライド動作を規制するスライド規制手段とを備え、スライド規制手段は、上記相対スライド動作を規制した状態で、外カバーと内箱とにおける相対揺動動作を所定範囲内で許容する。
2014064795.tif 000002
【特許請求の範囲】
【請求項１】
略直方体形状を有し、収容する被収容物を外部に取り出すための取り出し口が上部開口端に形成された内箱と、
側方に設けられる挿入端から前記内箱を挿入可能であり、当該内箱と相対スライド可能な外カバーと、
前記外カバーと前記内箱とにおける所定範囲を超える相対スライド動作を規制するスライド規制手段と、
を備え、
前記スライド規制手段は、前記相対スライド動作を規制した状態で、前記外カバーと前記内箱とにおける相対揺動動作を所定範囲内で許容する、
スライドボックス型パッケージ。
【請求項２】
前記スライド規制手段は、前記内箱と前記外カバーそれぞれに設けられた、互いに係合する内箱側係合部及び外カバー側係合部によって構成される、
請求項１に記載のスライドボックス型パッケージ。
【請求項３】
前記内箱側係合部は、前記内箱の前壁又は後壁及び側壁が接続される縁部を基端として当該前壁又は後壁が切り起こされた抜け止めフラップであって、
前記外カバー側係合部は、前記挿入端において前記外カバーの前壁又は後壁が内側に折り返された折り返しフラップであって、
前記折り返しフラップは、前記挿入端からの折り返し幅であるフラップ幅がパッケージ高さ方向の上側から下側に向けて増加する傾斜縁部と、当該傾斜縁部の下端に位置する突出部とを有し、
前記外カバー及び前記内箱が開方向に相対スライド動作した際に前記突出部が前記抜け止めフラップと係合することでそれ以上の開方向への相対スライド動作が規制され、かつ、当該突出部を揺動中心として前記傾斜縁部が前記抜け止めフラップの基端部と当接するまで前記外カバーと前記内箱との相対揺動動作が許容される、
請求項２に記載のスライドボックス型パッケージ。
【請求項４】
前記外カバーは、第１側方ボックスと第２側方ボックスとからなり、
前記第１側方ボックスの前記挿入端に対して前記内箱における一方の側方端が挿入され、前記第２側方ボックスの前記挿入端に対して前記内箱における他方の側方端が挿入され、
前記第１側方ボックス及び前記第２側方ボックスの双方が閉鎖位置にあるときに、前記内箱全体が前記外カバーによって覆われる、
請求項１から３の何れか一項に記載のスライドボックス型パッケージ。
【発明の詳細な説明】
【技術分野】
【０００１】
本発明は、スライドボックス型パッケージに関する。
【背景技術】
【０００２】
従来、たばこ商品等の被収容物を収容するパッケージ（包装）として、ソフトパック型パッケージ、ハード型パッケージ等が公知である。ハード型パッケージの１つの形態として、被収容物を収容する内箱と、この内箱をスライド（摺動）可能に収容する外箱を備えたスライドボックス型パッケージが知られている（例えば、特許文献１を参照）。また、外箱に対して２つの内箱をスライド可能に収容するタイプのスライドボックス型パッケージも知られている（例えば、特許文献２を参照）。この種のスライドボックス型パッケージは、外箱に対して内箱が挿入された閉鎖位置と内箱が外箱の開口端から部分的に引き出された開放位置との間をスライド自在に構成されている。【０００３】
また、ハード型パッケージの１つの形態として、被収容物を収容する内箱と、内箱に対して揺動可能な外箱とを備えたスウィングボックス型パッケージが知られている（例えば、特許文献３〜５を参照）。
【先行技術文献】
【特許文献】
【０００４】
【特許文献１】特表２００９−５０７７３１号公報
【特許文献２】特表２０１０−５２４８０１号公報
【特許文献３】米国特許第４，６４１，７４８号明細書
【特許文献４】米国特許第１，７３５，３２４号明細書
【特許文献５】国際公開第２００７／０２９４７２号
【発明の概要】
【発明が解決しようとする課題】
【０００５】
しかしながら、上述したスライドボックス型パッケージやスウィングボックス型パッケージは、以下の点で改善の余地がある。【０００６】
スライドボックス型パッケージは、通常、内箱が外箱から完全に離脱することを抑制するために、内箱側と外箱側に設けられた一組の協働する係止部を有している。双方の係止部は、外箱からの内箱の引き出し量が或る規定量に達した時点で係合する。すなわち、内箱側と外箱側における一組の協働する係止部が係合することで内箱の最大引き出し量が決定され、内箱の引き出し量が最大引き出し量に到達した後は、それ以上内箱を外箱から引き出すことができないようになっている。スライドボックス型パッケージの多くは、開放時における被収容物の取り出し口の面積を十分に確保できず、被収容物を取り出しにくいのが実情であった。【０００７】
一方、スウィングボックス型パッケージは、内箱と外箱とを相対揺動させる開閉方式であるため、当該揺動動作時に内箱と外箱とが互いに干渉し易い。そして、双方の干渉を回避しつつ開閉動作を可能にするには、内箱よりも外箱の高さをかなり余分に高くすることが余儀なくされ、パッケージの製造コストの増加を招く要因となっていた。【０００８】
そこで、本発明は、上記実情に鑑みてなされてものであって、その目的は、他の不都合を生じさせること無く、パッケージ開放時に被収容物の取り出し口の開口面積を十分に確保することができるスライドボックス型パッケージを提供することにある。
【課題を解決するための手段】
【０００９】
本発明では、上記課題を解決するために以下の手段を採用する。本発明に係るスライドボックス型パッケージは、略直方体形状を有し、収容する被収容物を外部に取り出すための取り出し口が上部開口端に形成された内箱と、側方に設けられる挿入端から前記内箱を挿入可能であり、当該内箱と相対スライド可能な外カバーと、前記外カバーと前記内箱とにおける所定範囲を超える相対スライド動作を規制するスライド規制手段と、を備え、前記スライド規制手段は、前記相対スライド動作を規制した状態で、前記外カバーと前記内箱とにおける相対揺動動作を所定範囲内で許容する。【００１０】
スライドボックス型パッケージに収容する被収容物は特に限定されるものではないが、棒状物品の集合体、例えばたばこ商品を被収容物として好適に例示できる。すなわち、本発明に係る被収容物はたばこ商品であっても良い。なお、たばこ商品とは、例えば紙巻たばこ（フィルタシガレット、両切たばこ（フィルタ無し））、シガー（葉巻）、シガリロ、スヌース、嗅ぎたばこ、チューイングたばこ、電子たばこ等が例示できる。【００１１】
本発明に係るスライドボックス型パッケージは、外カバーが閉鎖位置（全閉位置）にあるときに内箱の取り出し口が外カバーによって閉鎖され、ユーザーは、内箱に収容されている被収容物を取り出すことはできない。そして、ユーザーは、外カバーを所定の開方向に一旦スライドさせた後、内箱に対して揺動させることによって、パッケージを開放することができる。【００１２】
本発明に係るスライドボックス型パッケージは、スライド規制手段を備えるため、外カバーを閉鎖位置から開方向にスライドさせた際、閉鎖位置からのスライド量が規定値に達した時点でそれ以降の開方向へのスライド動作が規制（制限）される。例えば、外カバーにおける閉じ位置からのスライド量が規定値に達した状態で、パッケージは、内箱の取り出し口が中間段階まで開放された状態となる。【００１３】
スライド規制手段は、外カバーと内箱との間のスライド動作を規制した状態で、外カバーと内箱とにおける相対揺動動作を所定範囲内で許容する。従って、内箱の取り出し口が中間段階まで開放された状態から、ユーザーは、所定の開方向へと外カバーを揺動させることができる。この揺動動作により、内箱の取り出し口の開口面積が更に広がり、当該開口面積が最大となる全開状態までパッケージを開放することができる。これにより、パッケージを開放させた際に、取り出し口の開口面積を充分に確保することができ、内箱に収容した被収容物を取り出し口から取り出しやすくなる。【００１４】
なお、パッケージを閉じる場合、開ける場合と反対の動作が行われる。すなわち、全開状態から、外カバーを閉じ方向に揺動させることで中間段階までパッケージを閉じた後、閉じ方向へと外カバーをスライドさせる。そして、外カバーが閉鎖位置までスライドすると、内箱の取り出し口が外カバーによって完全に閉鎖され、被収容物を取り出すことが制限される。【００１５】
以上のように、本発明に係るスライドボックス型パッケージは、外カバーのスライド動作と揺動動作とを組み合わせて開閉操作が行われる。そして、パッケージの開放時に、外カバーの開方向へのスライド動作がスライド規制手段によって規制された後は、外カバーの揺動動作が所定範囲内で許容されるため、開方向へと外カバーを揺動させることで、取り出し口の開口面積を更に増やすことができる。従って、本発明によれば、パッケージ開放時に被収容物の取り出し口の開口面積を十分に確保することができる。【００１６】
更に、本発明に係るパッケージは、揺動動作のみでパッケージを開閉する従来のスウィングボックス型パッケージとは異なり、外カバーと内箱との間のスライド動作及び揺動動作を組み合わせて開閉する方式を採用したため、パッケージを全開状態とするまでに要求される揺動角度を従来に比べて低減できる。これによれば、外カバーの高さを内箱の高さと殆ど同じにしても、外カバーの天壁と内箱の上端部が互いに干渉することを回避できる。そして、内箱の高さに比べて外カバーの高さを余分に高くすることを回避できるので、従来に比べてパッケージの製造コストを低減することができる。【００１７】
また、本発明に係るスライドボックス型パッケージにおいて、前記スライド規制手段は、前記内箱と前記外カバーそれぞれに設けられた、互いに係合する内箱側係合部及び外カバー側係合部によって構成されても良い。この場合、前記内箱側係合部は、前記内箱の前壁又は後壁及び側壁が接続される縁部を基端として当該前壁又は後壁が切り起こされた抜け止めフラップであって、前記外カバー側係合部は、前記挿入端において前記外カバーの前壁又は後壁が内側に折り返された折り返しフラップであって、前記折り返しフラップは、前記挿入端からの折り返し幅であるフラップ幅がパッケージ高さ方向の上側から下側に向けて増加する傾斜縁部と、当該傾斜縁部の下端に位置する突出部とを有しても良い。そして、前記外カバー及び前記内箱が開方向に相対スライド動作した際に前記突出部が前記抜け止めフラップと係合することでそれ以上の開方向への相対スライド動作が規制され、かつ、当該突出部を揺動中心として前記傾斜縁部が前記抜け止めフラップの基端部と当接するまで前記外カバーと前記内箱との相対揺動動作が許容されても良い。【００１８】
また、本発明に係るスライドボックス型パッケージにおいて、前記外カバーは、第１側方ボックスと第２側方ボックスとから構成されていても良い。この場合、前記第１側方ボックスの前記挿入端に対して前記内箱における一方の側方端が挿入され、前記第２側方ボックスの前記挿入端に対して前記内箱における他方の側方端が挿入され、前記第１側方ボックス及び前記第２側方ボックスの双方が閉じ位置にあるときに、前記内箱全体が前記外カバーによって覆われても良い。【００１９】
なお、本発明における課題を解決するための手段は、可能な限り組み合わせて採用することができる。
【発明の効果】
【００２０】
本発明によれば、他の不都合を生じさせること無く、パッケージ開放時に被収容物の取り出し口の開口面積を十分に確保することができるスライドボックス型パッケージを提供できる。
【図面の簡単な説明】
【００２１】
【図１】実施形態に係るパッケージの斜視図である。
【図２】実施形態に係るパッケージの斜視図である。
【図３】実施形態に係るパッケージの分解図である。
【図４】実施形態に係るインナーブランクを示す図である。
【図５】実施形態に係るアウターブランクを示す図である。
【図６】実施形態に係る第２アウターブランクを示す図である。
【図７Ａ】実施形態に係るパッケージの開放時における操作手順を説明する図である。
【図７Ｂ】実施形態に係るパッケージの開放時における操作手順を説明する図である。
【図７Ｃ】実施形態に係るパッケージの開放時における操作手順を説明する図である。
【図８Ａ】実施形態に係るパッケージの開放時における内箱と外カバーの動作を示す図である。
【図８Ｂ】実施形態に係るパッケージの開放時における内箱と外カバーの動作を示す図である。
【図８Ｃ】実施形態に係るパッケージの開放時における内箱と外カバーの動作を示す図である。
【発明を実施するための形態】
【００２２】
ここで、本発明に係るスライドボックス型パッケージの実施形態について、図面に基づいて説明する。本発明が適用されるスライドボックス型パッケージに収容する被収容物は特定のものに限定されないが、ここでは、フィルタシガレットや両切シガレット等のたばこ商品をパッケージに収容する場合を例に説明する。また、本実施形態に記載されている構成要素の寸法、材質、形状、その相対配置等は、特に特定的な記載がない限りは、発明の技術的範囲をそれらのみに限定する趣旨のものではない。
【００２３】
＜構成＞
図１および図２は、実施形態に係るスライドボックス型パッケージ（以下、単に“パッケージ”という）１の斜視図である。図１は、パッケージ１が閉鎖された閉鎖状態を示す。図２は、パッケージ１が開放された開放状態を示す。図３は、実施形態に係るパッケージ１の分解図である。図１に、パッケージ１の上下前後左右の各方向を示している。また、パッケージ１の前面と正面とは同義であり、後面と背面とは同義である。パッケージ１の材料としては、例えばカード紙やマニラボール紙等の紙材が好適に用いられるが、これに限定されるものではない。例えば、パッケージ１の材料として、プラスチック等の樹脂材料や金属材料を用いるようにしても良い。パッケージ１の材質に紙材を使用する場合は、坪量として例えば１００ｇ／ｍ2以上、４００ｇ／ｍ2以下の紙材を使用してもよい。
【００２４】
パッケージ１は、第１側方ボックス２及び第２側方ボックス３を有する外カバー４と、この外カバー４内に収容されて外カバー４の幅方向にスライド自在（摺動自在）な内箱５と、を備える。図２、３に示すように、内箱５は、略直方体形状を有しており、前壁５１、後壁５２、一対の側壁５３、底壁５４を有する箱体である。内箱５の上部は開口端となっており、この開口端は被収容物の取り出し口５５として形成されている。また、外カバー４及び内箱５の表壁面には美観、触感などの向上のために、エンボス加工、パイル（短繊維）を用いたフロッキー加工、ニス（ワニス）を厚く塗布することによる疑似エンボス様の加工を施してもよい。また、内箱５の内部には、被収容物を収容する空間である収容部が形成されている。図２には、内箱５の収容部にシガレットＣの束が描かれているが、シガレットＣの束をアルミ蒸着紙等の内包材によって包んでなるインナーパックを内箱５の収容部に収容するようにしても良い。インナーパックについては、周知のため、ここでの詳しい説明は省略するが、アルミ蒸着紙は、例えば紙基材と、その表面に蒸着されたアルミニウムの膜とを含む。アルミニウムの膜は、シガレットＣの束を湿気から保護する他、各シガレットＣからの芳香の放出、散逸を防止する。また、インナーパックの表壁面には、美観などの向上のために、エンボス加工を施してもよい。
【００２５】
内箱５における前壁５１及び後壁５２はそれぞれ矩形状を有し、本実施形態では、前壁５１及び後壁５２は高さ及び横幅が互いに等しい矩形状をなしており、互いに対向配置されている。一組の側壁５３は、前壁５１及び後壁５２の両側縁を相互に連結しており、矩形状をなしている。また、各側壁５３は、前壁５１及び後壁５２と高さが等しい。底壁５４は、矩形状をなしており、前壁５１及び後壁５２の下端に連結されている。底壁５４の横幅は、前壁５１及び後壁５２の横幅と等しい。また、前壁５１及び後壁５２の上端縁部には、内箱５の取り出し口５５からシガレットＣを取り出し易くするために、切欠き部５１ａ，５２ａが形成されている。切欠き部５１ａ，５２ａの形状は、適宜変更することができる。
【００２６】
外カバー４は、互いに分離した第１側方ボックス２と第２側方ボックス３とにより内箱５を覆う、全体として箱状のカバー部材である。本実施形態において、第１側方ボックス２と第２側方ボックス３とは同一の部材としているが、これには限定されない。第１側方ボックス２及び第２側方ボックス３はそれぞれ略直方体形状を有する箱体であり、前壁４１、後壁４２、側壁４３、底壁４４、天壁４５を有する。前壁４１及び後壁４２は、高さ及び横幅が互いに等しい矩形状をなしており、互いに対向配置されている。側壁４３は前壁４１及び後壁４２の一方の側縁を相互に連結している。側壁４３は、矩形状を有し、前壁４１及び後壁４２と高さが等しい。また、底壁４４は、前壁４１及び後壁４２の下端に連結されており、矩形状を有する。天壁４５は、前壁４１及び後壁４２の上端に連結されており、矩形状を有する。第１側方ボックス２及び第２側方ボックス３のそれぞれにおいて、側壁４３とは反対側の側方端は開口端となっており、この開口端は内箱５を挿入可能な挿入端４６として形成されている。
【００２７】
第１側方ボックス２と第２側方ボックス３とにおいて、前壁４１（後壁４２）の横幅は、内箱５における前壁５１（後壁５２）の横幅の略半分になっている。つまり、第１側方ボックス２と第２側方ボックス３とにおける前壁４１（後壁４２）の横幅を合わせると、内箱５における前壁５１（後壁５２）の横幅に略等しくなっている。また、第１側方ボックス２及び第２側方ボックス３それぞれにおける前壁４１、後壁４２の高さは内箱５における前壁５１、後壁５２の高さよりも若干高くなっており、側壁４３の横幅は内箱５における側壁５３の横幅よりも若干幅広になっている。その結果、第１側方ボックス２と第２側方ボックス３における各挿入端４６には、内箱５を挿入することができるようになっている。図３に示されるように、第１側方ボックス２の挿入端４６に対して内箱５の一方の側方端が挿入され、第２側方ボックス３の挿入端４６に対して内箱５の他方の側方端が挿入されている。つまり、外カバー４は、第１側方ボックス２と第２側方ボックス３とからなり、第１側方ボックス２の挿入端４６に対して内箱５における一方の側方端が挿入され、第２側方ボックス３の挿入端４６に対して内箱５における他方の側方端が挿入され、第１側方ボックス２及び第２側方ボックス３の双方が閉鎖位置にあるときに、内箱５全体が外カバー４によって覆われるようになっている。
【００２８】
外カバー４における第１側方ボックス２及び第２側方ボックス３は、内箱５を相対スライド（摺動）自在に保持している。図１に示す状態は、パッケージ１の閉鎖状態（全閉状態）を示している。この閉鎖状態とは、外カバー４における第１側方ボックス２及び第２側方ボックス３が完全に閉じられた状態であり、内箱５の取り出し口５５が外部に露出していない状態である。従って、この状態で、ユーザーは、内箱５に収容されているシガレットＣを外部に取り出すことはできない。
【００２９】
本実施形態において、パッケージ１の外カバー４は、内箱５を、パッケージ１の横幅方向にスライド自在かつ揺動動作自在に保持している。そして、パッケージ１は、内箱５に対する外カバー４のスライド動作と揺動動作とを組み合わせた開閉操作が行われる。開閉操作の詳細については後述する。
【００３０】
本実施形態におけるパッケージ１は、外カバー４と内箱５とにおける所定範囲を超える相対スライド動作を規制するスライド規制手段を備える。このスライド規制手段は、互いに係合することで外カバー４と内箱５との相対的なスライド動作を規制し、当該スライド動作を規制した状態で外カバー４と内箱５とにおける相対揺動動作を所定範囲内で許容する機能を有する。以下、上記スライド規制手段に関連する構造について、図面を参照して説明する。
【００３１】
図２に示されるように、内箱５の前壁５１、後壁５２それぞれにおける横幅方向の両端部近傍には、抜け止めフラップ５６ａ〜ｄが設けられている。抜け止めフラップ５６ａ〜ｄは、内箱５の側壁５３を基端として当該側壁５３に接続される前壁５１、後壁５２が切り起こされることで形成されている。具体的には、抜け止めフラップ５６ａ〜ｄは、内箱５の前壁５１、後壁５２に設けられた略Ｌ字状（略Ｃ字状）の切り抜き５７ａ〜ｄによって形成される。ここで、切り抜き５７ａ〜ｄは抜け止めフラップ５６ａ〜ｄと対応している。図２に示す例では、切り抜き５７ａ，５７ｂ及び抜け止めフラップ５６ａ，５６ｂが、内箱５における前壁５１に設けられ、切り抜き５７ｃ，５７ｄ及び抜け止めフラップ５６ｃ，５６ｄが、内箱５における後壁５２に設けられている。
【００３２】
切り抜き５７ａ，５７ｂの両端部は、内箱５の前壁５１と側壁５３とが連結される縁部５８と接続あるいは近接しており、切り抜き５７ａ，５７ｂと縁部５８とにより囲まれるようにして、抜け止めフラップ５６ａ，５６ｂが前壁５１に設けられている。抜け止めフラップ５６ａ，５６ｂは、図２に示すように内箱５に外カバー４が装着された状態で、外カバー４の前壁４１に向かって斜めに突出している。より詳しくは、抜け止めフラップ５６ａは、対応する第１側方ボックス２の前壁４１に向かって斜めに突出している。抜け止めフラップ５６ｂは、対応する第２側方ボックス３の前壁４１に向かって斜めに突出している。
【００３３】
一方、切り抜き５７ｃ，５７ｄの両端部は、内箱５の後壁５２と側壁５３とが連結される縁部５９と接続あるいは近接しており、切り抜き５７ｃ，５７ｄと縁部５９とにより囲まれるようにして、抜け止めフラップ５６ｃ，５６ｄが後壁５２に設けられている。抜け止めフラップ５６ｃ，５６ｄは、内箱５に外カバー４が装着された状態で、外カバー４の後壁４２に向かって斜めに突出している。より詳しくは、抜け止めフラップ５６ｃは、対応する第１側方ボックス２の後壁４２に向かって斜めに突出している。抜け止めフラップ５６ｄは、対応する第２側方ボックス３の後壁４２に向かって斜めに突出している。
【００３４】
一方、外カバー４における第１側方ボックス２と第２側方ボックス３には、挿入端４６において前壁４１及び後壁４２が内側に折り返されることで形成される折り返しフラップ４７ａ〜ｄが設けられている。折り返しフラップ４７ａは第１側方ボックス２の前壁４１の内側に配設され、折り返しフラップ４７ｂは第２側方ボックス３の前壁４１の内側に配設されている。また、折り返しフラップ４７ｃは第１側方ボックス２の後壁４２の内側に配設され、折り返しフラップ４７ｄは第２側方ボックス３の後壁４２の内側に配設されている。
【００３５】
折り返しフラップ４７ａ，４７ｃは、第１側方ボックス２の前壁４１，後壁４２のそれぞれに接着されておらず、第１側方ボックス２の内側空間に向けて突出している。また、折り返しフラップ４７ｂ，４７ｄは、第２側方ボックス３の前壁４１，後壁４２のそれぞれに接着されておらず、第２側方ボックス３の内側空間に向けて突出している。そのため、内箱５に外カバー４が装着された状態においては、抜け止めフラップ５６ａ，５６ｂは、内箱５の前壁５１に向かって斜めに突出し、抜け止めフラップ５６ｃ，５６ｄは、内箱５の後壁５２に向かって斜めに突出した状態となっている。
【００３６】
各折り返しフラップ４７ａ〜ｄにおいて、符号４８は、挿入端４６からのフラップの折り返し幅であるフラップ幅が最大となる突出部である。また、符号４９は、各折り返しフラップ４７ａ〜ｄにおいて突出部４８より上方の領域に形成された傾斜縁部である。傾斜縁部４９は、パッケージ１の高さ方向において上側から下側に向けてフラップ幅が増大している。傾斜縁部４９は、下方に向かって徐々にフラップ幅が拡幅しており、その下端部が突出部４８としてフラップ幅が最大となっている。図２、３に示されるように、パッケージ１において、外カバー４側に設けられた折り返しフラップ４７ａ〜ｄは、内箱５側に設けられた抜け止めフラップ５６ａ〜ｄとそれぞれ対応して設けられている。
【００３７】
＜製造方法＞
本実施形態に係るパッケージ１は、内箱５を形成するインナーブランクＢ１と、外カバー４を形成するアウターブランクＢ２とからなるブランクセットから製造することができる。図４にインナーブランクＢ１を示し、図５にアウターブランクＢ２を示す。第１ブランクＢ１及び第２ブランクＢ２は、鎖線で示される折り込み線に沿って折り込み、各所を接着することで、内箱５及び外カバー４がそれぞれ形成される。
【００３８】
図４に示すように、インナーブランクＢ１は、内箱５の前壁５１となる前壁パネルＰ１、内箱５の後壁５２となる後壁パネルＰ２を有している。前壁パネルＰ１及び後壁パネルＰ２の間には、内箱５の底壁５４となる底壁パネルＰ３が連なっている。また、前壁パネルＰ１の両側縁には、内箱５の側壁５３となる矩形状の側壁パネルＰ４，Ｐ４が連なっている。
【００３９】
前壁パネルＰ１には、切欠き部５１ａが形成されている。また、前壁パネルＰ１における左側及び右側の端部近傍には、それぞれ切り抜き５７ａ，５７ｂが形成されている。切り抜き５７ａ，５７ｂは、上記のように略Ｌ字状（略Ｃ字状）を有し、その両端は、前壁パネルＰ１及び側壁パネルＰ４との境界に形成される折り込み線に接している。この折り込み線と切り抜き５７ａ，５７ｂによって囲まれる各領域に、上述した抜け止めフラップ５６ａ，５６ｂがそれぞれ形成されている。
【００４０】
後壁パネルＰ２の両側縁には、内箱５における側壁５３を補強するための矩形状を有するインナサイドパネルＰ５，Ｐ５が連なっている。また、後壁パネルＰ２には、切欠き部５２ａが形成されている。更に、後壁パネルＰ２における左側及び右側の端部近傍には、それぞれ切り抜き５７ｃ，５７ｄが形成されている。切り抜き５７ｃ，５７ｄは、上記のように略Ｌ字状（略Ｃ字状）を有し、その両端は、後壁パネルＰ２及びインナサイドパネルＰ５との境界に形成される折り込み線に接している。この折り込み線と切り抜き５７ｃ，５７ｄによって囲まれる各領域に、上述した抜け止めフラップ５６ｃ，５６ｄがそれぞれ形成されている。また、各インナサイドパネルＰ５の上端縁には、底壁５４を補強するためのインナボトムフラップＰ６,Ｐ６が連なっている。
【００４１】
上記のように構成されるインナーブランクＢ１は、鎖線で示される折り込み線に沿って折り込まれ、各インナボトムフラップＰ６，Ｐ６が底壁パネルＰ３の内側に接着され、各インナサイドパネルＰ５，Ｐ５が各側壁パネルＰ４,Ｐ４の内側に接着される。その結果、図３に示した内箱５がインナーブランクＢ１から形成される。
【００４２】
なお、前壁パネルＰ１に設けられた抜け止めフラップ５６ａ，５６ｂは、第１ブランクＢ１の折り込み時において、内箱５の収容部とは反対側すなわち外方に向けて斜めに突出するように、前壁パネルＰ１と側壁パネルＰ４との間の折り込み線を境に折り曲げても良い。同様に、後壁パネルＰ２に設けられた抜け止めフラップ５６ｃ，５６ｄは、内箱５の収容部とは反対側すなわち外方に向けて斜めに突出するように、後壁パネルＰ２とインナサイドパネルＰ５との間の折り込み線を境に折り曲げても良い。
【００４３】
次に、図５に示すアウターブランクＢ２について説明する。外カバー４における第１側方ボックス２と第２側方ボックス３とはそれぞれ同等の構成であるため、何れも共通するアウターブランクＢ２によって形成することができる。アウターブランクＢ２は、第１側方ボックス２（第２側方ボックス３）の側壁４３となる矩形状の側壁パネルＰ１１を有する。側壁パネルＰ１１の両側縁には、第１側方ボックス２（第２側方ボックス３）の前壁４１及び後壁４２となる矩形状を有する前壁パネルＰ１２及び後壁パネルＰ１３がそれぞれ連なっている。また、前壁パネルＰ１２の側縁には、第１側方ボックス２（第２側方ボックス３）の折り返しフラップ４７ａ（折り返しフラップ４７ｃ）が折り込み線を介して連なっている。また、後壁パネルＰ１３の側縁には、第１側方ボックス２（第２側方ボックス３）の折り返しフラップ４７ｂ（折り返しフラップ４７ｄ）が折り込み線を介して連なっている。
【００４４】
前壁パネルＰ１２の上端縁には、天壁４５となる天壁パネルＰ１４が連なっている。また、前壁パネルＰ１２の下端縁には、底壁４４となる底壁パネルＰ１５が連なっている。側壁パネルＰ１１及び後壁パネルＰ１３の上端縁には、天壁４５を補強するためのインナトップフラップＰ１６，Ｐ１７がそれぞれ連なっている。また、側壁パネルＰ１１及び後壁パネルＰ１３の下端縁には、底壁４４を補強するためのインナボトムフラップＰ１８，Ｐ１９がそれぞれ連なっている。
【００４５】
上記のように構成されるアウターブランクＢ２は、鎖線で示される折り込み線に沿って折り込まれ、各インナトップフラップＰ１６，Ｐ１７が天壁パネルＰ１４の内側に接着され、各インナボトムフラップＰ１８，Ｐ１９が底壁パネルＰ１５の内側に接着される。その結果、図３に示した第１側方ボックス２（第２側方ボックス３）をアウターブランクＢ２から形成することができる。なお、前壁パネルＰ１２又は後壁パネルＰ１３に連なる折り返しフラップ４７ａ〜ｄは、折り込み線に沿って折り返した後、前壁パネルＰ１２（後壁パネルＰ１３）に対して接着されない。また、図３にも示されるように、第１側方ボックス２と第２側方ボックス３とは対称な形状を有するため、第２側方ボックス３を製造する際には、第１側方ボックス２を製造する時とは裏表逆側にアウターブランクＢ２を折り込むようにしても良い。
【００４６】
ところで、外カバー４における第１側方ボックス２（第２側方ボックス３）は、図６に示す第２アウターブランクＢ３を用いて製造しても良い。なお、図６に示す第２アウターブランクＢ３のパネル構成のうち、図５で説明したアウターブランクＢ２と同等の構成については、共通の参照符号を付すことで詳しい説明を省略する。
【００４７】
図６に示す第２アウターブランクＢ３は、前壁パネルＰ１２と後壁パネルＰ１３との間に底壁パネルＰ１５が連なっている。前壁パネルＰ１２における一方の側縁には側壁パネルＰ１１が連なっており、他方の側縁には第１側方ボックス２（第２側方ボックス３）の折り返しフラップ４７ａ（折り返しフラップ４７ｃ）が連なっている。また、前壁パネルＰ１２の下端縁には、天壁パネルＰ１４が連なっている。また、側壁パネルＰ１１の下端縁には、インナトップフラップＰ１６が連なっている。また、後壁パネルＰ１３における一方の側縁には、側壁４３を補強するためのインナサイドパネルＰ２０が連なっており、他方の側縁には第１側方ボックス２（第２側方ボックス３）の折り返しフラップ４７ｂ（折り返しフラップ４７ｄ）が連なっている。また、後壁パネルＰ１３の上端縁にはインナトップフラップＰ１７が連なり、インナサイドパネルＰ２０の下端縁には底壁４４を補強するためのインナボトムフラップＰ２１が連なっている。
【００４８】
上記のように構成される第２アウターブランクＢ３は、鎖線で示される折り込み線に沿って折り込まれ、インナボトムフラップＰ２１が底壁パネルＰ１５の内側に接着され、各インナトップフラップＰ１６，Ｐ１７が天壁パネルＰ１４の内側に接着され、インナサイドパネルＰ２０が側壁パネルＰ１１の内側に接着される。その結果、図３に示した第１側方ボックス２（第２側方ボックス３）が形成される。なお、前壁パネルＰ１２又は後壁パネルＰ１３に連なる折り返しフラップ４７ａ〜ｄは、折り込み線に沿って折り返した後、前壁パネルＰ１２（後壁パネルＰ１３）に対して接着されない。なお、外カバー４に係る第１側方ボックス２、第２側方ボックス３は、図５に示すアウターブランクＢ２と図６に示す第２アウターブランクＢ３の何れから製造しても良いのは勿論である。
【００４９】
＜動作＞
次に、図７及び８を参照して、パッケージ１の開閉動作について説明する。図７Ａ〜Ｃは、実施形態に係るパッケージ１の開放時における操作手順を説明する図である。図８Ａ〜Ｃは、実施形態に係るパッケージ１の開放時における内箱５と外カバー４（第１側方ボックス２、第２側方ボックス３）の動作を示す図である。図８Ａ〜Ｃにおいては、内箱５側に設けられた抜け止めフラップ５６ａ〜ｄと、これら各フラップと係合する、外カバー４（第１側方ボックス２、第２側方ボックス３）側に設けられた折り返しフラップ４７ａ〜ｄとの相対関係を中心に描いている。図７Ａ及び図８Ａには、パッケージ１の閉鎖状態が示されている。閉鎖状態において、内箱５の取り出し口５５は外カバー４（第１側方ボックス２、第２側方ボックス３）によって完全に覆われている。従って、この状態において、ユーザーは、内箱５に収容されている被収容物であるシガレットＣを外部に取り出すことはできない。図７Ｂ及び図８Ｂにはパッケージ１のスライド完了状態、図７Ｃ及び図８Ｃにはパッケージ１の全開状態が示されている。パッケージ１は、スライド完了状態において、内箱５の取り出し口５５が部分的に開放された半開き状態となっている。また、パッケージ１は、全開状態のときに取り出し口５５の全てが外部へと開放された状態となる。なお、図８Ａ〜Ｃにおいては、内箱５に収容されているシガレットＣの図示を省略している。
【００５０】
図７Ａ、８Ａに示す閉鎖状態においては、外カバー４側に設けられた折り返しフラップ４７ａ〜ｄと、内箱５側に設けられた抜け止めフラップ５６ａ〜ｄとは係合していない。閉鎖状態にあるパッケージ１を開く際、ユーザーは、図７Ｂ、８Ｂに示すように、外カバー４（第１側方ボックス２、第２側方ボックス３）を閉鎖位置から開方向にスライドさせる。本実施形態では、第１側方ボックス２、第２側方ボックス３をパッケージ１の横方向両側に広げる方向が「開方向」に該当する。第１側方ボックス２及び第２側方ボックス３の各々を開方向にスライドさせていくと、内箱５の取り出し口５５が外部に露出する開口面積が徐々に増加する。
【００５１】
外カバー４（第１側方ボックス２、第２側方ボックス３）の開方向へのスライド操作過程において、各折り返しフラップ４７ａ〜ｄは、対応する切り抜き５７ａ〜ｄを通じて抜け止めフラップ５６ａ〜ｄの内側に差し込まれる。特に、外カバー４側に設けられた折り返しフラップ４７ａ〜ｄが内箱５側に設けられた抜け止めフラップ５６ａ〜ｄに向かって斜めに伸び、内箱５側に設けられた抜け止めフラップ５６ａ〜ｄが外カバー４側に設けられた折り返しフラップ４７ａ〜ｄに向かって斜めに伸びていることで、上記スライド操作時に各折り返しフラップ４７ａ〜ｄを抜け止めフラップ５６ａ〜ｄの内側へと確実に進入させることができる。
【００５２】
図７Ｂ、８Ｂに示すスライド完了状態は、閉鎖状態から外カバー４（第１側方ボックス２、第２側方ボックス３）の開方向へのスライド量が規定量に達した時点の状態を示している。本実施形態におけるパッケージ１は、開方向へのスライド量が規定量に達した時点で、各折り返しフラップ４７ａ〜ｄにおける突出部４８が各抜け止めフラップ５６ａ〜ｄの基端部、すなわち内箱５における各フラップ５６ａ〜ｄと側壁５３との接続部に衝突（当接）するように構成されている。これを契機に、各折り返しフラップ４７ａ〜ｄと各抜け止めフラップ５６ａ〜ｄとが互いに係合し、第１側方ボックス２及び第２側方ボックス３におけるそれ以上の開方向へのスライドが規制される。つまり、互いに係合する折り返しフラップ４７ａ〜ｄと抜け止めフラップ５６ａ〜ｄとが協働して、内箱５と外カバー４とにおける開方向への相対スライド動作を規制する。図７Ｂ，８Ｂに示す半開き状態においては、取り出し口５５が部分的に開放されていることから当該取り出し口５５からシガレットＣを取り出すことはできるものの、その開口面積は十分とはいえず、未だシガレットＣは取り出し難い。
【００５３】
そこで、本実施形態に係るパッケージ１は、半開き状態から、外カバー４（第１側方ボックス２、第２側方ボックス３）を内箱５に対して相対揺動操作を行い、第１側方ボックス２及び第２側方ボックス３をＶ字状に開放させることで、取り出し口５５の開口面積を更に増大させる。以下、この揺動操作について詳しく説明する。
【００５４】
折り返しフラップ４７ａ〜ｄは、上記のように傾斜縁部４９を有しており、この傾斜縁４９の下端に突出部４８が形成されている。図８Ｂに示すように、スライド完了状態（半開き状態）においては、対応する折り返しフラップ４７ａ〜ｄと抜け止めフラップ５６ａ〜ｄがそれぞれ係合した状態において、折り返しフラップ４７ａ〜ｄは、傾斜縁部４９が内箱５の側壁５３に対して斜めに配置され、かつ、突出部４８が側壁５３に当接した状態となっている。そのため、この状態においては、外カバー４（第１側方ボックス２、第２側方ボックス３）の開方向へのスライド動作は規制されるものの、折り返しフラップ４７ａ〜ｄにおける突出部４８を揺動中心として傾斜縁部４９が抜け止めフラップの基端部である側壁５３と当接（衝突）するまで、外カバー４（第１側方ボックス２、第２側方ボックス３）と内箱５との相対揺動動作が許容される。つまり、互いに係合する折り返しフラップ４７ａ〜ｄと抜け止めフラップ５６ａ〜ｄとは、外カバー４（第１側方ボックス２、第２側方ボックス３）の開方向へのスライド動作を規制した状態で、外カバー４（第１側方ボックス２、第２側方ボックス３）と内箱５とにおける相対揺動動作を所定範囲内で許容する。
【００５５】
そこで、スライド完了状態にあるパッケージ１に対して、ユーザーは、外カバー４を開方向、ここでは、第１側方ボックス２と第２側方ボックス３をＶ字状に開く方向に揺動操作を行うことで、取り出し口５５の開口面積を更に増大させることができる。すなわち、内箱５の取り出し口５５の全領域が外部に向けて開放された全開状態へとパッケージ１を移行させることができる。
【００５６】
なお、パッケージ１を閉鎖する際には、上記開放時と逆の手順で外カバー４を操作すれば良い。例えば、全開状態にあるパッケージ１に対しては、外カバー４（第１側方ボックス２、第２側方ボックス３）を閉方向に揺動操作し、図７Ｂ、８Ｂに示すスライド完了状態（半開き状態）に移行させる。そして、このスライド完了状態からは、外カバー４（第１側方ボックス２、第２側方ボックス３）を閉方向にスライド操作することで、パッケージ１を閉鎖状態とすることができる。
【００５７】
以上のように、本実施形態に係るパッケージ１においては、内箱５に対する外カバー４の相対スライド動作と相対揺動動作とを組み合わせてパッケージ１の開閉操作が行われる。そして、パッケージ１の開放時において、折り返しフラップ４７ａ〜ｄと抜け止めフラップ５６ａ〜ｄとの係合によって外カバー４の開方向へのスライド動作が規制された後においても、外カバー４の揺動動作が所定範囲内で許容されるため、外カバー４を開方向へと揺動させることで、取り出し口５５の開口面積を更に増やすことができる。従って、本実施形態に係るパッケージ１によれば、パッケージ開放時に取り出し口５５の開口面積を十分に確保することができるため、被収容物が非常に取り出しやすくなる。
【００５８】
また、パッケージ１によれば、揺動動作のみでパッケージを開閉する方式の従来のスウィングボックス型パッケージとは異なり、外カバー４と内箱５との間のスライド動作及び揺動動作を組み合わせて開閉する方式を採用したため、パッケージ１を全開状態とするまでに要求される揺動角度を従来に比べて低減できる。これによれば、外カバー４の高さを内箱５の高さと殆ど同じにしても、外カバー４の天壁４５と内箱５の上端部が互いに干渉することを回避できる。そして、内箱５の高さに比べて外カバー４の高さを余分に高くすることを回避できるので、従来に比べてパッケージの製造コストを低減することができる。
【００５９】
また、パッケージ１は、包装機を用いて上述した各ブランクから製造されるところ、内箱５の高さと外カバー４（第１側方ボックス２、第２側方ボックス３）の高さを殆ど同等、すなわち、アウターブランクＢ２における前壁パネルＰ１２の高さを、インナーブランクＢ１における前壁パネルＰ１の高さと殆ど同等にできるため、アウターブランクＢ２の各インナトップフラップＰ１６，Ｐ１７を天壁パネルＰ１４の内側に接着する際に、内箱４の収容部に収容されたインナーパックの上端面を反力として、各インナトップフラップＰ１６，Ｐ１７及び天壁パネルＰ１４の適正なフォールディングが可能となる。
【００６０】
また、従来のスウィングボックス型パッケージによれば、上記の如く外箱の高さを内箱の高さに比べて余分に高くする必要があったため、閉鎖状態にあるパッケージにおいてはシガレットの上部に余分な空間が形成されることになる。その結果、閉鎖されたパッケージの内部でシガレットが上下に動いてしまい、シガレットの刻（きざみ）がパッケージ内部に散乱する要因となっていた。これに対して、本実施形態に係るパッケージ１によれば、例えば、外カバー４の内法高さをシガレットＣの高さと殆ど同等にすることができる。従って、パッケージ１が閉鎖された状態のときに、パッケージ１の内部に収容されたシガレットＣが上下に動くことを抑制し、パッケージ１の内部に刻（きざみ）が散乱することを抑制できる。
【００６１】
また、本実施形態に係るパッケージ１のように、閉鎖状態から外カバー４を一旦開方向へとスライドさせた後、外カバー４を構成する第１側方ボックス２と第２側方ボックス３とをＶ字状に揺動させる開放方式は、従来には無い新規な開放方式である。つまり、本実施形態に係るパッケージ１によれば、その開閉動作が斬新であり、このようなパッケージ１は消費者の購買意欲を喚起することができる。
【００６２】
なお、本実施形態においては、内箱５に対する外カバー４の開方向へのスライド操作時に、閉鎖状態からの外カバー４のスライド量が規定量に達した時点で係合することでそれ以上の開方向へのスライド動作を規制する折り返しフラップ４７ａ〜ｄと抜け止めフラップ５６ａ〜ｄとの組み合わせが、本発明に係るスライド規制手段に対応する。そして、外カバー４に設けられた折り返しフラップ４７ａ〜ｄが本発明に係る外カバー側係合部に対応し、内箱５に設けられた抜け止めフラップ５６ａ〜ｄが本発明に係る内箱側係合部に対応する。
【００６３】
本実施形態に係るパッケージ１は、本発明の趣旨を逸脱しない範囲で種々の変更を加えることができる。例えば、内箱５の取り出し口５５の形状をはじめ、パッケージ１を構成する各部の形状、数、大きさ等は適宜変更できる。また、本実施形態におけるパッケージ１では、第１側方ボックス２の前壁４１側と後壁４２側の双方、つまり２箇所に折り返しフラップ４７ａ，４７ｃを設けているが、当該折り返しフラップの数は１つであっても良いし、３つ以上であっても良い。また、第２側方ボックス３側に設けられる折り返しフラップの数についても同様に、適宜変更することができる。また、内箱５側に設けられる抜け止めフラップは、外カバー４（第１側方ボックス２、第２側方ボックス３）側に設けられる折り返しフラップの数、場所に応じて設置すれば良い。
【００６４】
また、本実施形態に係る折り返しフラップ４７ａ〜ｄと抜け止めフラップ５６ａ〜ｄの組み合わせは本発明に係るスライド規制手段の一例であり、外カバー４と内箱５とにおける所定範囲を超える相対スライド動作を規制すると共に、当該スライド動作を規制した状態で外カバー４と内箱５とにおける相対揺動動作を所定範囲内で許容することができれば、他の構成を採用しても良い。
【００６５】
また、本実施形態に係るパッケージ１において、外カバー４は、第１側方ボックス２と第２側方ボックス３とからなり、第１側方ボックス２の挿入端４６に対して内箱５における一方の側方端が挿入され、第２側方ボックス３の挿入端４６に対して内箱５における他方の側方端が挿入されているが、この態様には限られない。例えば、外カバー４は、内箱５をスライド自在かつ揺動自在に保持し、これを覆う単一のカバー部材であっても良い。
【符号の説明】
【００６６】
１・・・パッケージ
２・・・第１側方ボックス
３・・・第２側方ボックス
４・・・外カバー
５・・・内箱
４７ａ〜ｄ・・・折り返しフラップ
４８・・・突出部
４９・・・傾斜縁部
５６ａ〜ｄ・・・抜け止めフラップ
【図１】
2014064795.tif 000003
【図２】
2014064795.tif 000004
【図３】
2014064795.tif 000005
【図４】
2014064795.tif 000006
【図５】
2014064795.tif 000007
【図６】
2014064795.tif 000008
【図７Ａ】
2014064795.tif 000009
【図７Ｂ】
2014064795.tif 000010
【図７Ｃ】
2014064795.tif 000011
【図８Ａ】
2014064795.tif 000012
【図８Ｂ】
2014064795.tif 000013
【図８Ｃ】
2014064795.tif 000014
【国際調査報告】
2014064795.tif 000015
2014064795.tif 000016
2014064795.tif 000017
2014064795.tif 000018